(57)【要約】【課題】容易且つ正確に位置決めしてマーキングすることが可能な、医療用に使用することが出来る転写シールを提供することを目的とする。【解決手段】表面に被転写箇所に位置決めするのに使用する目盛り１１を付した位置決め用マーク１２を設けた台紙１０と、台紙の裏面に剥離可能な状態で重ね合わせて配置された透明保護層２０と、透明保護層の裏面に配置され、被転写箇所に転写する、位置決めマークと異なる形状の部位特定マーク３１を形成するインク層３０と、インク層の裏面に重ね合わせて配置された接着層４０と、接着層の裏面に剥離可能な状態で重ね合わせて配置された保護紙５０とを備え、保護紙を剥がし、位置決め用マークを目印にしつつ且つ目盛りの部分を基準に位置を調整して被転写箇所に位置決めし、接着層を介して台紙、透明保護層及びインク層を貼り付け、この後台紙を剥がし、接着層により透明保護層及びインク層を被転写箇所に転写する。【選択図】図１
2015104443.tif 000002
【特許請求の範囲】
【請求項１】
一方の面に被転写箇所に位置決めするのに使用する目盛りを付した位置決め用マークを設けた台紙と、
一方の面が前記台紙の他方の面に剥離可能な状態で前記台紙に重ね合わせて配置された透明保護層と、
前記透明保護層の他方の面に配置され、前記被転写箇所に転写する、前記位置決めマークと異なる形状の部位特定マークを形成するインク層と、
一方の面が前記インク層の前記透明保護層側と反対の面側に重ね合わせて配置された接着層と、
一方の面が前記接着層の前記インク層側と反対の面側に剥離可能な状態で重ね合わせて配置された保護紙とを備えなることを特徴とする転写シール。
【請求項２】
請求項１記載の転写シールにおいて、
前記透明保護層と前記インク層との間に反射層を配置してなることを特徴とする転写シール。
【請求項３】
請求項２に記載の転写シールにおいて、
前記反射層は光輝性粉体を含むことを特徴とする転写シール。
【発明の詳細な説明】
【技術分野】
【０００１】
本発明は医療用に使用することが出来る転写シールに関する。例えば、放射線治療のために患者の放射線照射部位に目印となるマークを付ける（転写する）場合などの医療用に使用することが出来る転写シールに関する。
【背景技術】
【０００２】
放射線治療では予め患者の放射線を照射する部位にマークを付しておき、このマークを目印に放射線照射機器を位置決めして患者に放射線を照射している。この際、目印となるマークは、例えば市販されているマーカーを使って患者の皮膚に直接描くなどしいていたが、患者の衣類に色移りしやすい、落ちやすく入浴できない、皮膚になじまずひび割れが生じる、線幅が太く正確なマーキングができない等の種々の課題がある。そこで、これら課題を解決する転写タイプの治療用マーカーが提案されている（例えば、特許文献１参照）。
【先行技術文献】
【特許文献】
【０００３】
【特許文献１】特許第３６０９２８９号公報
【発明の概要】
【発明が解決しようとする課題】
【０００４】
上記治療用マーカーは、表面に治療用の目印となるマークが印刷されている基台紙、透明な保護シート層、基台紙に印刷されたマークと同一のマークを形成するインク層、接着層及び保護紙を重ね合わせた５層構造で、基本的には例えば特開平８−２０７４９９号公報などで開示されている、通常の転写シールと同じ構造である。
【０００５】
使用に際しては、保護紙を剥がし、基台紙表面のマークを目印にして接着層を患者の皮膚に押し当てて治療用マーカーを貼り付け、次いで基台紙に水分を含ませてから基台紙を剥がし、接着層を介してインク層及び保護シート層を患者の皮膚に転写する。これにより、基台紙に印刷されたマークと同一形状のマークが、放射線照射される患者の皮膚の部位に転写される。
【０００６】
しかし、患者の皮膚の部位に治療用マーカーを貼り付ける際、基台紙表面のマークを目印にするものの、このマークは患者の皮膚にインク層により転写されるマークと同一形状の直線、十字やＬ字状などで、マーク自体に位置決めするための基準となるものが何もなく、放射線の照射位置に正確に貼り付けるのが難しく、手間がかかることなどが指摘されている。
【０００７】
放射線治療に際しては、放射線による身体へのダメージを極力減らすために放射線の照射位置を正確に（精度よく）位置決めすることが必要不可欠で、このため容易且つ正確にマークを放射線の照射位置に付することが可能な転写シールの開発が要望されている。
【０００８】
本発明は容易且つ正確に位置決めしてマーキングすることが可能な、医療用に使用することが出来る転写シールを提供することを目的とする。
【課題を解決するための手段】
【０００９】
本発明の請求項１に記載の転写シールは、一方の面に被転写箇所に位置決めするのに使用する目盛りを付した位置決め用マークを設けた台紙と、一方の面が前記台紙の他方の面に剥離可能な状態で前記台紙に重ね合わせて配置される透明保護層と、前記透明保護層の他方の面に配置され、被転写箇所に転写する、前記位置決めマークと異なる形状の部位特定マークを形成するインク層と、一方の面が前記インク層の前記透明保護層側と反対の面側に重ね合わせて配置される接着層と、一方の面が前記接着層の前記インク層側と反対の面側に剥離可能な状態で重ね合わせて配置される保護紙とを備えなることを特徴とする。
【００１０】
本発明の請求項２に記載の医療用転写シールは、前記透明保護層と前記インク層との間に反射層を配置してなることを特徴とする。
【００１１】
本発明の請求項３に記載の医療用転写シールは、前記反射層は光輝性粉体を含むことを特徴とする。
【発明の効果】
【００１２】
本発明によれば、保護紙を剥がし、次いで台紙の一方の面に設けた位置決め用マークを目印にしつつ且つ該位置決め用マークに付した目盛りの部分を基準に位置を調整して被転写箇所である例えば患者の皮膚の放射線照射箇所に位置決めし、次いで接着層を該患者の皮膚に押し当てて該接着層を介して台紙、透明保護層及びインク層を貼り付け、この後台紙を剥がし、接着層により透明保護層及びインク層を転写することで、インク層で形成した部位特定マークを被転写箇所である例えば患者の皮膚の放射線照射箇所に容易且つ正確に転写することが可能となる。
【００１３】
患者の皮膚上に予めレーザー光線を当てて放射線照射装置から発せられる放射線の照射位置を計測する際、透明保護層とインク層との間に反射層が配置されているので、部位特定マークに照射されるレーザー光線の反射率が高まり、放射線の照射位置を精度良く計測でき、この結果部位特定マークを目印に正確に放射線を照射することが可能となる。
【００１４】
前記反射層が光輝性粉体を含んでいるので、部位特定マークに照射されるレーザー光線の反射率がより高まり、放射線の照射位置がより高精度に計測でき、この結果部位特定マークを目印により正確に放射線を照射することが可能となる。
【図面の簡単な説明】
【００１５】
【図１】（ａ）は本発明の転写シールの医療用に適用した実施例を示す、保護紙を一部剥がした状態の斜視図、（ｂ）は図１（ａ）の転写シールの変形例を示す斜視図である。
【図２】図１（ａ）の転写シール（６層構造体）を分解して示した部分拡大斜視図である。
【図３】（ａ）は図１（ａ）に示す転写シールの台紙に設けられた位置決め用マークの平面図、（ｂ）は図１（ａ）に示す転写シールのインク層により形成される部位特定マークの平面図、（ｃ）は図１（ｂ）に示す転写シールの台紙に設けられた位置決め用マークの平面図、（ｄ）は図１（ｂ）に示す転写シールのインク層により形成される部位特定マークの平面図である。
【図４】（ａ）は図３（ａ）に示す位置決め用マークの変形例の平面図、（ｂ）は図３（ｂ）に示す部位特定マークの変形例の平面図、（ｃ）は図３（ｃ）に示す位置決め用マークの変形例の平面図、（ｄ）は図３（ｄ）に示す部位特定マークの変形例の平面図である。
【発明を実施するための形態】
【実施例１】
【００１６】
本発明の転写シールを医療用に適用した一実施例について、図１（ａ）、図２及び図３（ａ）、（ｂ）を参照して説明する。本実施例の医療用の転写シートＡは、テープ状で（図１（ａ）参照）、台紙１０、透明保護層２０、インク層３０、接着層４０、保護紙５０及び透明保護層２０とインク層３０との間の反射層６０を重ね合わせた６層構造（図２参照）で構成されている。
【００１７】
台紙１０の一方の面である表面には、図１（ａ）、図３（ａ）に示すように、例えば5mmごとに目盛り１１を付けた直線状の位置決め用マーク１２が台紙１０の長辺方向に沿って例えばスクリーン印刷により設けられている。この位置決め用マーク１２は、被転写箇所である患者の皮膚の放射線の照射箇所に医療用の転写シートＡを貼り付ける際の目印となるが、それだけではなく該位置決め用マーク１２に付した目盛り１１を使い、この目盛り１１を基準に位置を調整して正確に位置決めすることを可能にする。換言すると、目盛り１１がない場合には位置決め用マーク１２のみを頼りに大体の目安で皮膚への貼り付け位置を決めなければならないが、目盛り１１が付してあることにより該目盛り１１を基準に位置を調整して医療用の転写シートＡを患者の皮膚上に正確に位置決めすることが可能となる。なお、図１（ａ）では、図３（ａ）に示すように目盛り１１に数字（０から８）を付しておらず、数字を省略した状態で目盛り１１を図示しているが、目盛り１１には数字が付される。本実施例では、目盛り１１に数字を付した場合を示したが、目盛り１１の数字は必要に応じて付されるものであって、必要がない場合、目盛り１１には数字が付されない。
【００１８】
台紙１０は、吸水性に優れた吸水紙（特殊吸水性紙）からなり、その他方の面である裏面に例えばでんぷんのりからなる水溶性のり層１３（図２参照）が設けられている。台紙１０の裏面にはこの水溶性のり層１３を介して透明保護層２０（図２参照）が重ね合わせて設けられている。水溶性のり層１３を設けたのは、透明保護層２０の一方の面である表面を台紙１０の裏面に対して剥離可能に接着するためである。台紙１０に水分が含まれていない状態（不使用時、保管時など）では、透明保護層２０は台紙１０の裏面に接着された状態に維持されているが、使用時に台紙１０に水分を含ませると、この水分の一部が水溶性のり層１３に達して該水溶性のり層１３を溶解し、透明保護層２０から台紙１０を剥がすことが可能となる。本実施例では使用時に台紙１０を透明保護層２０から剥離できるようにするため、台紙１０を吸水紙から形成し、その裏面にでんぷんのりからなる水溶性のり層１３を設けた場合を示したが、これに限定されるものではない。
【００１９】
透明保護層２０は、皮膚表面の凹凸形状になじむように伸縮可能で、ひび割れが発生するおそれのない柔軟な合成樹脂等を、例えばスクリーン印刷により台紙１０の裏面の水溶性のり層１３上に塗布して形成される。
【００２０】
透明保護層２０の他方の面である裏面には、図１（ａ）、図２に示すように、部位特定マーク３１（図３（ｂ）参照）を形成するインク層３０が設けられる。このインク層３０は、台紙１０表面の位置決めマーク１２の真下（真上）位置にある透明保護層２０の裏面の箇所に例えばスクリーン印刷により形成される。インク層３０によって形成される部位特定マーク３１は、位置決めマーク１２の形状と異ならせており、本実施例では位置決め用マーク１２から目盛り１１の部分を除いた形状にしてある。
【００２１】
部位特定マーク３１を、位置決めマーク１２から目盛り１１の部分を除いて位置決めマーク１２の形状と異ならせたのは、位置決めマーク１２では必要不可欠な目盛り１１が部位特定マーク３１では不要で、むしろ放射線照射の部位を特定するためには邪魔になるからである。
【００２２】
台紙１１表面の位置決めマーク１２は医療用の転写シートＡを例えば患者の皮膚上の放射線が照射される位置に位置決めし、その結果、部位特定マーク３１が例えば患者の皮膚上の放射線の照射部位を特定するものの、位置決めマーク１２と部位特定マーク３１は、前者が位置決め、後者が部位特定とその機能を異にしている。形状を異ならせることでそれぞれの機能を十分発揮させることが可能となる。なお、図３（ｂ）では、部位特定マーク３１を、直線により形成し、直接放射線の照射部位（位置）を特定する場合を示しているが、これに限定されるものではなく、例えば部位特定マーク３１を、放射線の照射エリアと放射線を照射しない非照射エリアとを区別するように照射エリアを囲む線で形成するようにしてもよい。
【００２３】
インク層３０の透明保護層２０側と反対の面側である、インク層３０の裏面には接着層４０（図２参照）が設けられる。この接着層４０は、インク層３０を被転写箇所である例えば患者の皮膚に接着するもので、例えばスクリーン印刷によりインク層３０の裏面に塗布して設けられる。
【００２４】
接着層４０のインク層３０側と反対の面側である、接着層４０の裏面には保護紙５０（図１（ａ）、図２参照）が剥離可能な状態で重ね合わされている。この保護紙５０は、接着層４０をカバーして不要な箇所に接着しないように保護するものである。保護紙５０の接着層４０の裏面に接する一方の面である表面に例えばシリコン系化合物を塗布して剥離性を付与し、保護紙５０を接着層４０に対して剥離可能にしている。
【００２５】
透明保護層２０とインク層３０との間には図２に示すように例えば雲母粉体などの光輝性粉体を含む高輝度の反射層６０が設けられている。この反射層６０は、インク層３０のレーザー光線に対する反射率を高め、同時にインク層３０の保護の強化の役割も果たし結果的に長期間にわたり効果を持続させる事が出来るものである。例えば、患者の皮膚の照射部位に放射線を照射する前に、照射部位を特定する部位特定マーク３１にレーザー光線を当てて放射線照射装置から発せられる放射線の照射位置を計測（確認）するが、この際、反射層６０がレーザー光線の部位特定マーク３１などからの反射率を高める。この結果、放射線の照射位置を精度良く計測でき、部位特定マーク３１を目印に正確に放射線を照射することが可能となる。なお、本実施例では光輝性粉体として雲母粉体を含む高輝度の反射層６０を設けた場合を示したが、レーザー光線に対する反射率の高いものであれば、これに限定されるものではなく、光輝性粉体として例えば特殊アルミ粉などを含む高輝度の反射層６０でもよい。
【００２６】
次に、本実施例の医療用の転写シールＡの使用方法について説明する。例えば、患者の皮膚に放射線を照射する場合、まず放射線を照射する箇所（医療用の転写シールＡを貼り付ける箇所）の脂分を石鹸などで洗い落とし、アルコールなどで清拭しておく。保護紙５０を剥がして接着層４０の裏面を露呈させ、次いで台紙１０の表面に設けた位置決め用マーク１２を目印にしつつ且つ目盛り１１を基準に位置を調整して医療用の転写シールＡを放射線照射箇所に位置決めする。これを具体的に説明すると、例えば、患者の胴体を横切る線が伸びる方向をＹ方向、これと直交する方向をＸ方向とした場合、医療用の転写シールＡを、目盛り１１を基準にＸ方向又はＹ方向に位置を調整して放射線照射箇所に位置決めする。次いで、接着層４０の裏面を放射線照射箇所の患者の皮膚に押しあてて該接着層４０を介して台紙１０、透明保護層２０及びインク層３０などを貼り付ける。貼り付ける際にはあまり強く押し当てて医療用の転写シールＡ（部位特定マーク３１）の表面にしわが生じないように注意する。次いで、台紙１０の表面を、水分を含ませたスポンジやタオルなどを使って湿らせる。これにより台紙１０の裏面の水溶性のり層１３が溶けて台紙１０が剥がれやすくなる。この後、台紙１０を剥がすと、接着層４０により透明保護層２０、インク層３０などが患者の皮膚の放射線照射部位に転写される。転写後は透明保護層２０の表面に残っている水溶性のり層１３を十分に拭き取り、インク層３０により形成される、透明保護層２０で覆われた部位特定マーク３１にひび割れが生じないようにする。
【００２７】
上述したように位置決め用マーク１２を目印にしつつ且つ目盛り１１を基準に位置を調整して医療用の転写シールＡを放射線照射箇所に位置決めすることが出来るので、部位特定マーク３１を、放射線照射箇所を特定する位置に正確に転写することが可能となる。
【００２８】
部位特定マーク３１を放射線照射箇所に転写した後、レーザー光線をこの部位特定マーク３１に当てて放射線照射装置から発せられる放射線の照射位置を計測（確認）する。この際、透明保護層２０とインク層３０との間に配置した光輝性粉体を含む高輝度の反射層６０がレーザー光線の反射率を高めることから、放射線の照射位置を精度良く計測でき、この結果、部位特定マークを目印（標的）にして正確に放射線を照射することが可能となる。
【００２９】
次に、上記医療用の転写シールＡの変形例について、図１（ｂ）、図３（ｃ）、（ｄ）を参照して説明する。
【００３０】
本変形例の医療用の転写シールＢは、図１（ｂ）に示すように、全体形状がテープ状ではなく正方形状である。これにあわせて台紙１０ａは正方形状で、その表面に設けられる位置決めマーク１２ａは、図１（ｂ）、図３（ｃ）に示すように、直線状ではなく十字状である。また、インク層３０によって形成される部位特定マーク３１ａは、図３（ｄ）に示すように、中心の黒丸部分と該黒丸部分に向かって伸び且つ互いに直交する４本の矢印部分から形成されている。これらの点を除いて医療用の転写シールＢは、医療用の転写シールＡと同一であり、図２に示すように６層構造で構成されている。
【００３１】
位置決めマーク１２ａに付される目盛り１１ａは、十字状の位置決めマーク１２ａに沿い所定の間隔、例えば5mmごとに設けられる。医療用の転写シールＢを例えば患者の皮膚の放射線照射箇所に位置決めする際には、位置決めマーク１２ａが十字状で、目盛り１１ａが位置決めマーク１２ａに沿って付されていることから、例えば患者の胴体を横切る線が伸びる方向をＹ方向、これと直交する方向をＸ方向とした場合、目盛り１１ａを基準にして医療用転写シールＢをＸ方向及びＹ方向に位置を調整して医療用の転写シールＢを放射線照射箇所に正確に位置決めすることが出来る。なお、図１（ｂ）では、図３（ｂ）に示すように目盛り１１ａに数字（１，２）を付しておらず、数字を省略した状態で目盛り１１ａを図示しているが、目盛り１１ａには数字が付される。
【００３２】
部位特定マーク３１ａは、上述したように、中心の黒丸部分と該黒丸部分に向かって伸びる且つ互いに直交する４本の矢印部分から形成されており、放射線照射部位を正確に特定することが可能である。例えば、黒丸部分が放射線照射部位の中心である場合、単に十字状で形成した場合に比してより明瞭に放射線照射部位を特定することが可能である。
【００３３】
図４（ａ）、（ｂ）は図１（ａ）、図３（ａ）、（ｂ）に示す医療用の転写シールＡの位置決めマーク１２、目盛り１１及び部位特定マーク３１の変形例を示している。
【００３４】
本変形例の位置決めマーク１２ｂは、図４（ａ）に示すように、台紙１０表面の長辺方向一端から他端にかけて設けられている。すなわち、台紙１０表面の長辺方向一端部と他端部に空白部分を生じることなく位置決めマーク１２ｂを設けている。この位置決めマーク１２ｂに設けられる本変形例の目盛り１１ｂは、長さを示すしるしである長さ目盛り部１１ｂ１と、この長さ目盛り部１１ｂ上に適宜間隔をあけて設けた角度を示すしるしである角度目盛り部１１ｂ２とからなる。本変形例の部位特定マーク３１ｂは、図４（ｂ）に示すように、位置決め目盛り１２ｂから長さ目盛り部１１ｂ１と角度目盛り部１１ｂ２とを除いた直線形状である。
【００３５】
本変形例によれば、医療用の転写シールＡの位置決めに際し、例えば患者の胴体を横切る線が伸びる方向をＹ方向、これと直交する方向をＸ方向とした場合、長さ目盛り部１１ｂ１を基準にして医療用転写シールＡをＸ方向又はＹ方向に位置を調整しつつ、角度目盛り部１１ｂ２を基準（中心）に医療用の転写シールＡの向きを調整することができ、医療用の転写シールＡを放射線照射箇所により正確に位置決めすることが出来る。
【００３６】
図４（ｃ）、（ｄ）は、図１（ｂ）、図３（ｃ）、（ｄ）に示す医療用転写シールＢの位置決めマーク１２ａ、目盛り１１ａ及び部位特定マーク３１ａの変形例を示している。
【００３７】
本変形例の位置決めマーク１２ｃは、図４（ｃ）に示すように、十字状で、台紙１０ａの各縁部まで伸びている。この位置決めマーク１２ｃに設けられる本変形例の目盛り１１ｃは、長さを示すしるしである長さ目盛り部１１ｃ１と、位置決めマーク１１の中心（十字状の線の交点）に放射線状に設けた角度を示すしるしである角度目盛り部１１ｃ２とからなる。本変形例の部位特定マーク３１ｃは、図３（ｄ）に示す部位特定マーク３１ａと同様に中心の黒丸部分と該黒丸部分に向かって伸び且つ互いに直交する４本の矢印部分から形成されており、４本の矢印部分の後端（矢の部分と反対側の部分）が台紙１０ａの各縁部まで伸びている。なお、台紙１０ａの表面には位置決めマーク１２ｃの中心（十字状の線の交点）部分を中心にして同心状に正方形状の枠線１４が長さ目盛り部１１ｃ１を基準にして（長さ目盛り部１１ｃ１を通るようにして）複数設けられている。
【００３８】
本変形例によれば、医療用の転写シールＢの位置決めに際し、例えば患者の胴体を横切る線が伸びる方向をＹ方向、これと直交する方向をＸ方向とした場合、長さ目盛り部１１ｃ１を基準にして医療用の転写シールＡをＸ方向及びＹ方向に位置を調整しつつ、角度目盛り部１１ｃ２を基準（中心）にして医療用の転写シールＢの向きを調整することができ、医療用の転写シールＢを放射線照射箇所により正確に位置決めすることが出来る。
【００３９】
本発明の転写シールは、医療用以外の用途にも位置決めを目的として工業製品などに使用することが出来る。また、図１（ａ）、図２、図３（ａ）、（ｂ）に示す実施例の医療用の転写シールＡ、図１（ｂ）、図３（ｃ）、（ｄ）に示す変形例の医療用の転写シールＢに限定されるものではない。例えば、台紙１０、１０ａの裏面に透明保護層２０を剥離可能に設けるのに、台紙１０を吸水紙から形成し、その裏面にでんぷんのりからなる水溶性のり層１３を設けた場合を示したが、水溶性のり層１３の代わりに感圧性接着層を設けてもよい。この場合、台紙１０を吸水紙から形成しなくても済む。
【００４０】
また、本発明の転写シールに設けられる位置決めマーク、目盛り及び部位特定マークの形状は、図１（ａ）、図２、図３（ａ）、（ｂ）に示す実施例の医療用の転写シールＡの位置決めマーク１２、目盛り１１、部位特定マーク３１、図１（ｂ）、図３（ｃ）、（ｄ）に示す変形例の医療用の転写シールＢの位置決マーク１２ａ、目盛り１１ａ、３１ａ、部位特定マーク３１ａ、図４（ａ）、（ｂ）に示す位置決めマーク１２ｂ、目盛り１１ｂ、部位特定マーク３１ｂ、図４（ｃ）、（ｄ）に示す位置決めマーク１２ｃ、目盛り１１ｃ、部位特定マーク３１ｃの形状に限定されるものではなく、被転写箇所に合わせた最適な形状に形成される。
【産業上の利用可能性】
【００４１】
本発明の医療用転写シールは、例えば医療現場において放射線照射部位を大掛かりな装置を使用せずに特定するのに適用される。
【符号の説明】
【００４２】
１０      台紙
１０ａ    台紙
１１      目盛り
１１ａ    目盛り
１１ｂ    目盛り
１１ｃ    目盛り
１２      位置決めマーク
１２ａ    位置決めマーク
１２ｂ    位置決めマーク
１２ｃ    位置決めマーク
１３      水溶性のり層
２０      透明保護層
３０      インク層
３１      部位特定マーク
４０      接着層
５０      保護紙
６０      反射層
【図１】
2015104443.tif 000003
【図２】
2015104443.tif 000004
【図３】
2015104443.tif 000005
【図４】
2015104443.tif 000006
【手続補正書】
【提出日】平成26年12月18日(2014.12.18)
【手続補正１】
【補正対象書類名】特許請求の範囲
【補正対象項目名】請求項１
【補正方法】変更
【補正の内容】
【請求項１】
一方の面に被転写箇所に位置決めするのに使用する目盛りを付した位置決め用マークを設けた台紙と、
一方の面が前記台紙の他方の面に剥離可能な状態で前記台紙に重ね合わせて配置された透明保護層と、
前記透明保護層の他方の面に配置され、前記被転写箇所に転写する、前記目盛りを除いた、前記位置決めマークと異なる形状の部位特定マークを形成するインク層と、
一方の面が前記インク層の前記透明保護層側と反対の面側に重ね合わせて配置された接着層と、
一方の面が前記接着層の前記インク層側と反対の面側に剥離可能な状態で重ね合わせて配置された保護紙とを備えなることを特徴とする転写シール。
【手続補正２】
【補正対象書類名】明細書
【補正対象項目名】０００９
【補正方法】変更
【補正の内容】
【０００９】
本発明の請求項１に記載の転写シールは、一方の面に被転写箇所に位置決めするのに使用する目盛りを付した位置決め用マークを設けた台紙と、一方の面が前記台紙の他方の面に剥離可能な状態で前記台紙に重ね合わせて配置される透明保護層と、前記透明保護層の他方の面に配置され、被転写箇所に転写する、前記目盛りを除いた、前記位置決めマークと異なる形状の部位特定マークを形成するインク層と、一方の面が前記インク層の前記透明保護層側と反対の面側に重ね合わせて配置される接着層と、一方の面が前記接着層の前記インク層側と反対の面側に剥離可能な状態で重ね合わせて配置される保護紙とを備えなることを特徴とする。
【手続補正３】
【補正対象書類名】明細書
【補正対象項目名】００１０
【補正方法】変更
【補正の内容】
【００１０】
本発明の請求項２に記載の転写シールは、前記透明保護層と前記インク層との間に反射層を配置してなることを特徴とする。
【手続補正４】
【補正対象書類名】明細書
【補正対象項目名】００１１
【補正方法】変更
【補正の内容】
【００１１】
本発明の請求項３に記載の転写シールは、前記反射層は光輝性粉体を含むことを特徴とする。
【手続補正５】
【補正対象書類名】明細書
【補正対象項目名】００１５
【補正方法】変更
【補正の内容】
【００１５】
【図１】（ａ）は本発明の転写シールの医療用に適用した実施例を示す、保護紙を一部剥がした状態の斜視図、（ｂ）は図１（ａ）の転写シールの変形例を示す斜視図である。
【図２】図１（ａ）の転写シール（７層構造体）を分解して示した部分拡大斜視図である。
【図３】（ａ）は図１（ａ）に示す転写シールの台紙に設けられた位置決め用マークの平面図、（ｂ）は図１（ａ）に示す転写シールのインク層により形成される部位特定マークの平面図、（ｃ）は図１（ｂ）に示す転写シールの台紙に設けられた位置決め用マークの平面図、（ｄ）は図１（ｂ）に示す転写シールのインク層により形成される部位特定マークの平面図である。
【図４】（ａ）は図３（ａ）に示す位置決め用マークの変形例の平面図、（ｂ）は図３（ｂ）に示す部位特定マークの変形例の平面図、（ｃ）は図３（ｃ）に示す位置決め用マークの変形例の平面図、（ｄ）は図３（ｄ）に示す部位特定マークの変形例の平面図である。
【手続補正６】
【補正対象書類名】明細書
【補正対象項目名】００１６
【補正方法】変更
【補正の内容】
【００１６】
本発明の転写シールを医療用に適用した一実施例について、図１（ａ）、図２及び図３（ａ）、（ｂ）を参照して説明する。本実施例の医療用の転写シートＡは、テープ状で（図１（ａ）参照）、台紙１０、水溶性のり層１３、透明保護層２０、インク層３０、接着層４０、保護紙５０及び透明保護層２０とインク層３０との間の反射層６０を重ね合わせた７層構造（図２参照）で構成されている。
【手続補正７】
【補正対象書類名】明細書
【補正対象項目名】００３０
【補正方法】変更
【補正の内容】
【００３０】
本変形例の医療用の転写シールＢは、図１（ｂ）に示すように、全体形状がテープ状ではなく正方形状である。これにあわせて台紙１０ａは正方形状で、その表面に設けられる位置決めマーク１２ａは、図１（ｂ）、図３（ｃ）に示すように、直線状ではなく十字状である。また、インク層３０によって形成される部位特定マーク３１ａは、図３（ｄ）に示すように、中心の黒丸部分と該黒丸部分に向かって伸び且つ互いに直交する４本の矢印部分から形成されている。これらの点を除いて医療用の転写シールＢは、医療用の転写シールＡと同一であり、図２に示すように７層構造で構成されている。
【手続補正８】
【補正対象書類名】明細書
【補正対象項目名】００３１
【補正方法】変更
【補正の内容】
【００３１】
位置決めマーク１２ａに付される目盛り１１ａは、十字状の位置決めマーク１２ａに沿い所定の間隔、例えば5mmごとに設けられる。医療用の転写シールＢを例えば患者の皮膚の放射線照射箇所に位置決めする際には、位置決めマーク１２ａが十字状で、目盛り１１ａが位置決めマーク１２ａに沿って付されていることから、例えば患者の胴体を横切る線が伸びる方向をＹ方向、これと直交する方向をＸ方向とした場合、目盛り１１ａを基準にして医療用転写シールＢをＸ方向及びＹ方向に位置を調整して医療用の転写シールＢを放射線照射箇所に正確に位置決めすることが出来る。なお、図１（ｂ）では、図３（ｃ）に示すように目盛り１１ａに数字（１，２）を付しておらず、数字を省略した状態で目盛り１１ａを図示しているが、目盛り１１ａには数字が付される。
【手続補正９】
【補正対象書類名】明細書
【補正対象項目名】００３８
【補正方法】変更
【補正の内容】
【００３８】
本変形例によれば、医療用の転写シールＢの位置決めに際し、例えば患者の胴体を横切る線が伸びる方向をＹ方向、これと直交する方向をＸ方向とした場合、長さ目盛り部１１ｃ１を基準にして医療用の転写シールＢをＸ方向及びＹ方向に位置を調整しつつ、角度目盛り部１１ｃ２を基準（中心）にして医療用の転写シールＢの向きを調整することができ、医療用の転写シールＢを放射線照射箇所により正確に位置決めすることが出来る。
【手続補正１０】
【補正対象書類名】明細書
【補正対象項目名】００４１
【補正方法】変更
【補正の内容】
【００４１】
本発明の転写シールは、例えば医療現場において放射線照射部位を大掛かりな装置を使用せずに特定するのに適用される。
【手続補正１１】
【補正対象書類名】図面
【補正対象項目名】図４
【補正方法】変更
【補正の内容】
【図４】
2015104443.tif 000007